(57)【要約】      （修正有）【課題】それぞれの噴霧部における液滴の噴霧を、条件や目的に応じて個別に制御することができる液滴発生装置を提供すること。【解決手段】建物Ｈの外面に配設され、液滴を建物の外側で噴霧する複数の噴霧部２と、噴霧部に液体を供給する液体供給管３１を有する液体供給手段３と、噴霧部に空気を供給する空気供給管４１を有する空気供給手段４と、液体供給管に複数配設されている液体調整手段と、空気供給管に複数配設されている空気調整手段と、少なくとも、液体供給手段、空気供給手段、液体調整手段および空気調整手段と接続する制御手段と、を備え、制御手段は、液体調整手段および空気調整手段の動作を制御することで、それぞれの噴霧部における液滴の噴霧動作のＯＮ／ＯＦＦを個別に制御可能であり、かつ、液体供給手段および空気供給手段からそれぞれの噴霧部へ供給される液体量および空気量を個別に調整可能である液滴発生装置１とする。【選択図】図１
2017029918.tif 000002
【特許請求の範囲】
【請求項１】
建物の外面に配設され、液滴を前記建物の外側で噴霧する複数の噴霧部と、
前記噴霧部に液体を供給する液体供給管を有する液体供給手段と、
前記噴霧部に空気を供給する空気供給管を有する空気供給手段と、
前記液体供給管に複数配設されている液体調整手段と、
前記空気供給管に複数配設されている空気調整手段と、
少なくとも、前記液体供給手段、前記空気供給手段、前記液体調整手段および前記空気調整手段と接続する制御手段と、
を備え、
前記制御手段は、前記液体調整手段および前記空気調整手段の動作を制御することで、それぞれの前記噴霧部における前記液滴の噴霧動作のＯＮ／ＯＦＦを個別に制御可能であり、かつ、前記液体供給手段および前記空気供給手段からそれぞれの前記噴霧部へ供給される液体量および空気量を個別に調整可能であり、
前記噴霧部では、前記空気供給管から供給された空気の流れに前記液体供給管からの液体が供給されて前記液滴が生成されることを特徴とする液滴発生装置。
【請求項２】
前記噴霧部に供給される空気量を検知して、その空気量の情報を前記制御手段へ供給する空気量検知手段を備え、
前記制御手段は、前記空気量の情報に基づいて、前記空気供給手段から前記噴霧部へと供給される空気量を調整する制御が可能であることを特徴とする請求項１に記載の液滴発生装置。
【請求項３】
前記制御手段は、前記空気調整手段の動作の制御によって、前記液滴の噴霧が行われる前記噴霧部を１または２以上選択する制御が可能であることを特徴とする請求項１または２に記載の液滴発生装置。
【請求項４】
前記制御手段は、前記液体調整手段および前記空気調整手段の動作を制御して前記噴霧部に供給される液体量と空気量の調整を行うことで、前記噴霧部から噴霧される前記液滴の粒径を制御可能であることを特徴とする請求項１から３のいずれか一項に記載の液滴発生装置。
【発明の詳細な説明】
【技術分野】
【０００１】
本発明は、建物の外側で液滴を噴霧するための液滴発生装置に関する。
【背景技術】
【０００２】
従来、水を微粒子化して噴霧することができる二流体ノズル装置が知られている。例えば、特許文献１の二流体ノズル装置は、圧縮空気供給系からの圧縮空気及び水供給系からの水を供給し、水を微粒子化して噴霧できる複数の二流体ノズルを備えている。また、この二流体ノズル装置は、各二流体ノズルへの圧縮空気及び水の噴出の入り切りを行う二方弁と、水供給系および分岐水供給系の間に配設された比例制御弁とを備えている。さらに、この二流体ノズル装置は、制御手段によって、二方弁の入り切りおよび比例制御弁の開度を制御して二流体ノズルの全てから噴射される水の噴霧量が無段階に増加又は減少するように制御されている。
【先行技術文献】
【特許文献】
【０００３】
【特許文献１】特開2013-96648号公報
【発明の概要】
【発明が解決しようとする課題】
【０００４】
しかしながら、特許文献１では、二流体ノズル装置を建物の外面などの広い空間に配設することは考慮されていない。例えば、建物の外面に複数の噴霧部（ノズル）を設ける場合、各噴霧部が配設されている位置による配管内での圧力損失の違いや、作動している噴霧部の数などによって、最適な噴霧を行うための噴霧部への空気の供給圧力（空気量）が変動することが考えられる。特許文献１の二流体ノズル装置の場合、噴霧部に供給される空気の量を制御することは難しく、それぞれの噴霧部の条件や目的に応じた制御を行うことが容易でないという問題がある。
【０００５】
本発明は、以上の事情に鑑みてなされたものであり、それぞれの噴霧部における液滴の噴霧を、条件や目的に応じて個別に制御することができる液滴発生装置を提供することを課題としている。
【課題を解決するための手段】
【０００６】
上記の課題を解決するために、本発明の液滴発生装置は、
建物の外面に配設され、液滴を前記外側で噴霧する複数の噴霧部と、
前記噴霧部に液体を供給する液体供給管を有する液体供給手段と、
前記噴霧部に空気を供給する空気供給管を有する空気供給手段と、
前記液体供給管に複数配設されている液体調整手段と、
前記空気供給管に複数配設されている空気調整手段と、
少なくとも、前記液体供給手段、前記空気供給手段、前記液体調整手段および前記空気調整手段と接続する制御手段と、
を備え、
前記制御手段は、前記液体調整手段および前記空気調整手段の動作を制御することで、それぞれの前記噴霧部における前記液滴の噴霧動作のＯＮ／ＯＦＦを個別に制御可能であり、かつ、前記液体供給手段および前記空気供給手段からそれぞれの前記噴霧部へ供給される液体量および空気量を個別に調整可能であり、
前記噴霧部では、前記空気供給管から供給された空気の流れに前記液体供給管からの液体が供給されて前記液滴が生成されることを特徴としている。
【発明の効果】
【０００７】
本発明の液滴発生装置によれば、複数設けられた噴霧部のそれぞれについて、液滴の噴霧を条件や目的に応じて個別に制御することができる。
【図面の簡単な説明】
【０００８】
【図１】本発明の液滴発生装置の一実施形態を例示した概要図である。
【図２】本発明の液滴発生装置の制御手段による制御の一形態を例示したブロック図である。
【図３】本発明の液滴発生装置における制御手段による噴霧部の動作の制御の一形態を例示した概要図である。
【発明を実施するための形態】
【０００９】
図１は、本発明の液滴発生装置の一実施形態を例示した概要図である。図２は、本発明の液滴発生装置の制御手段による制御の一形態を例示したブロック図である。
【００１０】
液滴発生装置１は、複数の噴霧部２と、噴霧部２に液体を供給する液体供給管３１を有する液体供給手段３と、噴霧部２に空気を供給する空気供給管４１を有する空気供給手段４とを備えている。
【００１１】
噴霧部２は、建物Ｈの外面に配設され、建物Ｈから遠ざかる方向や、下方向や、建物Ｈ側に向かって、液滴を建物Ｈの外側で噴霧する。建物Ｈの外面における噴霧部２の配設位置は特に限定されず、液滴による冷却作用などが望まれる所望の位置に配設することができる。ここでいう「建物の外面」には、建物Ｈの外壁Ｗ、屋根Ｒ、軒樋Ｓ、軒下Ｕ、ベランダＤなどが含まれる。図１に例示した実施形態では、噴霧部２は、建物Ｈの屋根Ｒの頂部、軒樋Ｓの下方付近、軒下Ｕ、ベランダＤの下部および外壁Ｗの下方部に設けられている。液滴発生装置１は、噴霧部２が建物Ｈの外面に配設されているため、建物Ｈの外観が良好であり、大がかりな設置スペースを確保する必要もない。
【００１２】
噴霧部２には、液体供給手段３の液体供給管３１と、空気供給手段４の空気供給管４１とが接続されている。噴霧部２の具体的な形態は特に限定されないが、空気供給管４１から供給される空気の流れに液体供給管３１からの液体が供給されることにより、噴霧部２で微細な霧状の液滴が生成される二流体ノズルの形態を好ましく例示することができる。
【００１３】
液体供給手段３の液体供給管３１の一端は各噴霧部２と接続している。また、液体供給手段３は、液体供給管３１の他に、ポンプなどの液体用圧力制御装置３２、トレーナー（図示していない）などが含まれる。液体供給管３１の他端が接続する水供給源（図示していない）としては、例えば、水道からの水やタンクに貯留された雨水などを例示することができる。
【００１４】
液体供給管３１には、各噴霧部２に対応した複数の液体調整手段６が配設されている。液体調整手段６は、液体供給管３１の管路の開閉および開度の調整が可能である。液体調整手段の形態は特に限定されないが、例えば電磁弁を好ましく例示することができる。
【００１５】
また、空気供給手段４の空気供給管４１の一端は各噴霧部２と接続している。空気供給手段４には、空気供給管４１の他に、コンプレッサーやブロアなどの空気用圧力制御装置４２などが含まれる。図１に例示した実施形態では、空気供給管４１の他端に空気用圧力制御装置４２が接続されており、空気用圧力制御装置４２によって生成された圧縮空気が空気供給管４１を通じて噴霧部２に供給される構造になっている。
【００１６】
空気供給管４１には、各噴霧部２に対応した複数の空気調整手段５が配設されている。空気調整手段６は、空気供給管４１の管路の開閉および開度の調整が可能である。空気調整手段の形態は特に限定されないが、例えば電磁弁を好ましく例示することができる。
【００１７】
さらに、液滴発生装置１は、検知領域内へ侵入した物体を検知可能なセンサーＴと、噴霧部２に供給される液体に機能性液剤を添加する液剤添加部Ｖと備えている。
【００１８】
この実施形態では、センサーＴは、建物Ｈの屋根Ｒの頂部、軒樋Ｓの下方、ベランダＤの下部、フェンスＦの上部に設けられている。センサーＴは、所定の検知領域内へ侵入した物体（人・動物など）を検知可能であればよく、例えば、赤外線センサー、電波センサーなどの公知の物体検知センサーを適宜使用することができる。また、センサーＴは、物体の存在の有無とともに、物体の大きさを検知可能であることが好ましい。
【００１９】
さらに、センサーＴは、温度、湿度、日射量、浮遊している塵埃量（花粉などの微粒子の量）などを検知可能であることが好ましい。
【００２０】
この実施形態では、設置された複数のセンサーＴのそれぞれが、侵入した物体、温度、湿度、日射量、浮遊している塵埃量のうちの１種または２種以上の情報を検知することができる。
【００２１】
また、この実施形態では、液体供給手段３の液体供給管３１（液体用圧力制御装置３２と噴霧部２の間）と、軒樋Ｓの下方の噴霧部２付近に、液剤添加部Ｖが設けられている。液剤添加部Ｖは、液体供給管３１内の液体（噴霧部２に供給される液体）に機能性液剤を添加することができる。ここで、「機能性液剤」とは、各種の色に着色された液体、臭い付きの液体、動物・害虫の忌避剤入りの液体などをいう。なお、忌避剤は、例えば、イヌ、ネコ、イノシシ、シカ、タヌキ、イタチ、キツネ、モグラ、ネズミ、カラスなどの動物に対して忌避作用を有する物質が添加された公知のものを適宜使用することができる。
【００２２】
液滴発生装置１は、制御手段７を備えている。制御手段７は、液体供給手段３、空気供給手段４、液体調整手段６、空気調整手段５、センサーＴおよび液剤添加部Ｖと接続しており、それぞれの動作を制御することができる。
【００２３】
この実施形態の液滴発生装置１では、センサーＴが物体（侵入者、動物）を検知していない場合は、制御手段７は液剤添加部Ｖを作動させない。この場合、センサーＴは、検知した温度、湿度、日射量、塵埃量などの情報に基づいて、液体供給手段３および空気供給手段４を制御して、噴霧部２から機能性液剤を含まない液滴を噴霧させることができる。この際、制御手段７は、センサーＴが検知した温度、湿度、日射量、塵埃量などの情報に基づいて、噴霧部２から噴霧される液滴の粒径（平均粒径）、液滴の噴霧量、噴霧のタイミングなどを制御することができる。
【００２４】
具体的には、例えば、センサーＴが温度、湿度、日射量、浮遊している塵埃量を検知した場合、センサーＴが検知した情報は制御手段７へと送られる。制御手段７は、噴霧部２からの液滴の噴霧領域や、望ましい温度、湿度、塵埃量の値などに応じて、センサーＴからの検知情報に基づいて噴霧部２から噴霧される粒径（平均粒径）、液滴の噴霧量、噴霧のタイミングなどを制御することができる。これによって、外気や建物周囲の冷却、湿度の調整、塵埃の低減などを行うことができる。
【００２５】
一方、センサーＴが物体（侵入者・動物）を検知した場合は、センサーＴが検知した情報は制御手段７へと送られる。センサーＴからの検知情報を受けた制御手段７は、例えば、液体供給手段３および空気供給手段４を制御して、液体供給管３１および空気供給管４１を通じて噴霧部２への液体と空気の供給を開始させる。そして、制御手段７は、液剤添加部Ｖを作動させて、液体供給管３１内の液体（噴霧部２に供給される液体）に機能性液剤を添加させる制御を行う。これによって、液体供給管３１を通じて供給された機能性液剤を含む液体は、噴霧部２で空気供給管４１から供給された空気と合流して、噴霧部２から機能性液剤を含む液滴が噴霧される。
【００２６】
また、制御手段７は、センサーＴによって検知された物体の大きさに応じて、液剤添加部Ｖから添加される機能性液剤の種類を選択する制御が可能であることが好ましい。
【００２７】
具体的には、例えば、センサーＴが検知領域に侵入した物体の存在と、その大きさを検知した場合、この検知情報はセンサーＴから制御手段７に送られる。制御手段７は、物体の大きさに関する情報から、検知された物体が人（侵入者）であると判定した場合は、液剤添加部Ｖから液体供給管３１内の水に、着色された液体や臭い付きの液体などが所定量で添加されるように制御することができる。これによって、着色された液体や臭い付きの液体が噴霧部２から液滴となって噴霧される。したがって、噴霧された液滴が侵入者に接触すると、付着した色素や臭いによって、侵入者が逃走した場合も追跡などが容易になるため、威嚇効果、防犯効果を高めることができる。
【００２８】
また、制御手段７は、センサーＴから送られた物体の大きさに関する情報から、検知された物体が動物（小動物や鳥類など）であると判定した場合は、制御手段７は、液剤添加部Ｖから液体供給管３１内の水に、動物の忌避剤入りの液体が所定量で添加されるように制御することができる。これによって、動物の忌避剤入りの液体などが噴霧部２から液滴となって噴霧されるため、噴霧された液滴によって動物に警戒心、恐怖心を与えて撃退することができる。
【００２９】
次に、本発明の液滴発生装置における制御手段による噴霧部の動作の制御についてさらに詳しく説明する。図３は、本発明の液滴発生装置における制御手段による噴霧部の動作の制御の一形態を例示した概要図である。
【００３０】
図３では、液滴発生装置１に複数配設されている噴霧部２のうち、上流側の３つの噴霧部２Ａ〜２Ｃを例示している。また、図３で例示した空気調整手段５は、第１空気調整手段５１Ａ〜５１Ｄと、第２空気調整手段５２Ａ〜５２Ｃとによって構成されている。また、図３で例示した液体調整手段６は、第１液体調整手段６１Ａ〜６１Ｄと、第２液体調整手段６２Ａ〜６２Ｃとによって構成されている。
【００３１】
第１空気調整手段５１Ａ〜５１Ｄ、第２空気調整手段５２Ａ〜５２Ｃ、第１液体調整手段６１Ａ〜６１Ｄおよび第２液体調整手段６２Ａ〜６２Ｃは電磁弁であり、制御手段７と接続している。
【００３２】
また、空気供給管４１は、第１空気供給管４１Ａと第２空気供給管４１a〜４１ｃで構成されており、液体供給管３１は、第１液体供給管３１Ａと第２液体供給管３１a〜３１ｃによって構成されている。
【００３３】
第１空気調整手段５１Ａ〜５１Ｄは、空気用圧力制御装置４２から下流側に向かって延びる第１空気供給管４１Ａに設けられている。また、第１液体調整手段６１Ａ〜６１Ｄは、液体用圧力制御装置３２から下流側に向かって延びる第１液体供給管３１Ａに設けられている。
【００３４】
第１空気供給管４１Ａからは、上流側から順に第２空気供給管４１ａ〜４１ｃが分岐しており、第２空気供給管４１ａ〜４１ｃのそれぞれが各噴霧部２Ａ〜２Ｃに接続している。また、第１液体供給管３１Ａからは第２液体供給管３１ａ〜３１ｃが分岐しており、第２液体供給管３１ａ〜３１ｃのそれぞれが各噴霧部２Ａ〜２Ｃに接続している。
【００３５】
さらに、第２空気供給管４１ａ〜４１ｃには、開度を調整可能な第２空気調整手段５２Ａ〜５２Ｃが設けられており、第２液体供給管３１ａ〜３１ｃには、開度を調整可能な第２液体調整手段６２Ａ〜６２Ｃが設けられている。
【００３６】
制御手段７は、第１空気調整手段５１Ａ〜５１Ｄおよび第１液体調整手段６１Ａ〜６１Ｄの開閉を制御することができ、これによって、噴霧部２Ａ〜２Ｃのそれぞれにおける液滴の噴霧動作のＯＮ／ＯＦＦを個別に制御することができる。
【００３７】
例えば、制御手段７によって、空気供給手段４の空気用圧力制御装置４２側に位置する最上流の第１空気調整手段５１Ａを閉に制御し、液体供給手段３の液体用圧力制御装置３２側に位置する最上流の第１液体調整手段６１Ａを閉に制御することができる。この場合、空気供給管４１Ａおよび液体供給管３１Ｂから空気および液体が各噴霧部２Ａ〜２Ｃに供給されないため、全ての噴霧部２Ａ〜２Ｃは停止（噴霧動作ＯＦＦ）状態になる。
【００３８】
また、例えば、制御手段７によって、第１空気調整手段５１Ａおよび第１液体調整手段６１Ａを開に制御し、第１空気調整手段５１Ｂおよび第１液体調整手段６１Ｂを閉に制御することができる。さらに、制御手段７によって、第２空気調整手段５２Ａおよび第２液体調整手段６２Ａを開に制御することができる。この場合、第１空気供給管４１Ａに供給された空気は、分岐する第２空気供給管４１aを通じて噴霧部２Ａへ供給され、第１液体供給管３１Ａに供給された液体は、分岐する第２液体供給管３１aを通じて噴霧部２Ａへ供給される。このため、噴霧部２Ａでは、供給された空気の流れに液体が供給されて液滴が生成されて噴霧される（噴霧動作ＯＮ）。この場合、第１空気調整手段５１Ｂ、第１液体調整手段６１Ｂより下流側には、空気および液体が供給されないため、噴霧部２Ｂ、２Ｃは停止状態（噴霧動作ＯＦＦ）になる。
【００３９】
同様に、例えば、制御手段７によって、第１空気調整手段５１Ａ、５１Ｂおよび第１液体調整手段６１Ａ、６１Ｂを開に制御し、第１空気調整手段５１Ｃおよび第１液体調整手段６１Ｃを閉に制御することができる。また、制御手段７によって、第２空気調整手段５２Ａ、５２Ｂおよび第２液体調整手段６２Ａ、６２Ｂを開に制御することができる。この場合は、噴霧部２Ａ、２Ｂから液滴が噴霧され（噴霧動作ＯＮ）、噴霧部２Ｃは停止状態（噴霧動作ＯＦＦ）になる。
【００４０】
以下では説明は省略するが、噴霧部２Ｃより下流側の噴霧部２についても同様に、噴霧部２の噴霧動作のＯＮ／ＯＦＦを上流側から多段階で制御することができる。
【００４１】
さらに、制御手段７は、第２空気調整手段５２Ａ〜５２Ｃおよび第２液体調整手段６２Ａ〜６２Ｃの開閉を制御することで、液滴の噴霧が行われる噴霧部２Ａ〜２Ｃを１または２以上選択する制御を行うことできる。この制御について、図３中の噴霧部２Ａ〜２Ｃのうち、噴霧部２Ｂのみで噴霧が行われる実施形態を例に説明する。
【００４２】
この実施形態では、例えば、制御手段７は、第１空気調整手段５１Ａ〜５１Ｄおよび第１液体調整手段６１Ａ〜６１Ｄを開に制御することができる。さらに、制御手段７は、第２空気調整手段５２Ｂおよび第２液体調整手段６２Ｂを開に制御し、第２空気調整手段５２Ａ、５２Ｃおよび第２液体調整手段６２Ａ、６２Ｃを閉に制御することができる。これによって、噴霧部２Ｂには空気と液体が供給され、噴霧部２Ａ、２Ｃには空気と液体が供給されないため、噴霧部２Ｂによって液滴が噴霧され（噴霧動作ＯＮ）、噴霧部２Ａ、２Ｃは停止状態（噴霧動作ＯＦＦ）になる。
【００４３】
このように、制御手段７は、第１空気調整手段５１Ａ〜５１Ｄ、第１液体調整手段６１Ａ〜６１Ｄ、第２空気調整手段５２Ａ〜５２Ｃ、第２液体調整手段６２Ａ〜６２Ｃの動作を制御することができる。このため、液滴発生装置１は、それぞれの噴霧部２における液滴の噴霧動作のＯＮ／ＯＦＦを、条件や目的に応じて個別に制御することができる。したがって、液滴発生装置１は、１または２以上の噴霧部２の動作を選択的に制御することができる。もちろん、液滴発生装置１に配設されたすべての噴霧部２から液滴が噴霧されるように制御することもできる。
【００４４】
さらに、制御手段７は、第２空気調整手段５２Ａ〜５２Ｃの開度を制御することで、空気供給手段３からそれぞれの噴霧部２Ａ〜２Ｃへ供給される空気量を個別に調整することができる。また、制御手段７は、第２液体調整手段６２Ａ〜６２Ｃの開度を制御することで、液体供給手段３からそれぞれの噴霧部２Ａ〜２Ｃへ供給される液体量を個別に調整することができる。
【００４５】
制御手段７は、噴霧部２Ａ〜２Ｃに供給される液体量と空気量の比率を調整することで、噴霧部２Ａ〜２Ｃから噴霧される液滴の噴霧量や粒径（平均粒径）を制御することができる。液滴の粒径に関して、例えば、液体量に対する空気量（空気量／液体量の値）が大きくなるほど、噴霧部２Ａ〜２Ｃから噴霧される液滴の粒径は小さくなる傾向がある。制御手段７は、気温や湿度、その他の液滴の噴霧の目的に応じて、液滴の粒径を例えば１０ｎｍ〜１００μｍ程度の範囲で調整することができる。
【００４６】
さらに、第２空気調整手段５２Ａ〜５２Ｃは、それぞれの噴霧部２Ａ〜２Ｃに供給される空気量を検知して、その空気量の情報を制御手段７へ供給する空気量検知手段（図示していない）を備えている。空気量検知手段によって、噴霧部２Ａ〜２Ｃに供給される空気量の情報が検知されると、この情報は制御手段７へと供給される。制御手段７は、この空気量の情報に基づいて、空気供給手段４から噴霧部２Ａ〜２Ｃへと供給される空気量を調整する制御を行うことができる。
【００４７】
具体的には、例えば、それぞれの噴霧部２Ａ〜２Ｃが配設されている位置や、作動している噴霧部２の数などによって、最適な噴霧を行うための噴霧部２Ａ〜２Ｃへの空気の供給圧力（空気量）が変動する。
【００４８】
したがって、例えば、空気量検知手段によって検知された空気量が所定の量より少ない場合には、所定の液滴の噴霧量や粒径が確保されていないことが考えられる。この場合、空気量検知手段から空気量の情報を受け取った制御手段７は、例えば、第２空気調整手段５２Ａ〜５２Ｃの開度を大きくして、空気量検知手段によって検知される空気量が所定量になるように制御することができる。これによって、噴霧部２Ａ〜２Ｃから噴霧される液滴の噴霧量や粒径が所定の範囲内になるように調整することができる。同様に、空気量検知手段によって検知された空気量が所定の量より多い場合には、制御手段７は、例えば、第２空気調整手段５２Ａ〜５２Ｃの開度を小さくして、空気量検知手段によって検知される空気量が所定量になるように制御することができる。
【００４９】
なお、空気量検知手段から空気量の情報を受け取った制御手段７は、例えば、空気供給手段４（空気用圧力制御装置４２）を制御することで、噴霧部２Ａ〜２Ｃに供給される空気量を制御することもできる。
【００５０】
液滴発生装置１は、空気量検知手段を備えていることで、検知された空気量の情報を制御手段７にフィードバックできるため、それぞれの噴霧部２について、様々な条件や目的に応じて、より最適な噴霧が行われるように制御することができる。
【００５１】
このように、液滴発生装置１は、建物の外面に複数の噴霧部２が設けられている場合も、それぞれの噴霧部２について、圧力損失、作動している噴霧部２の数、所望の噴霧量、液滴の粒径などの条件や目的に応じて、個別に最適な噴霧が行われるように制御される。
【００５２】
以上の通り、本発明の液滴発生装置１は、建物Ｈの外面に配設され、液滴を建物Ｈの外側で噴霧する複数の噴霧部２を備えている。本発明の液滴発生装置１は、噴霧部２に液体を供給する液体供給管３１を有する液体供給手段３と、噴霧部２に空気を供給する空気供給管４１を有する空気供給手段４とを備えている。本発明の液滴発生装置１は、液体供給管３１に複数配設されている液体調整手段６と、空気供給管４１に複数配設されている空気調整手段５とを備えている。本発明の液滴発生装置１は、少なくとも、液体供給手段３、空気供給手段４、液体調整手段６、空気調整手段５と接続する制御手段７とを備えている。
【００５３】
そして、制御手段７は、液体調整手段６および空気調整手段５の動作を制御することで、それぞれの噴霧部２における液滴の噴霧動作のＯＮ／ＯＦＦを個別に制御可能である。さらに、制御手段７は、液体供給手段６および空気供給手段５からそれぞれの前記噴霧部へ供給される液体量および空気量を個別に調整可能である。噴霧部２では、空気供給管４１から供給された空気の流れに液体供給管３１からの液体が供給されて液滴が生成される。
【００５４】
この液滴発生装置１では、噴霧部２に供給される空気量を検知して、その空気量の情報を制御手段７へ供給する空気量検知手段を備えることが好ましい。制御手段７は、空気量の情報に基づいて、空気供給手段４から噴霧部２へと供給される空気量を調整する制御が可能であることが好ましい。
【００５５】
この液滴発生装置１では、制御手段７は、空気調整手段５の動作の制御によって、液滴の噴霧が行われる噴霧部２を１または２以上選択する制御が可能であることがより好ましい。
【００５６】
この液滴発生装置１では、制御手段７は、液体調整手段６および空気調整手段５の動作を制御して噴霧部２に供給される液体量と空気量の調整を行うことで、噴霧部２から噴霧される液滴の粒径を制御可能であることがさらに好ましい。
【００５７】
本発明の液滴発生装置は、以上の実施形態に限定されることはない。例えば、空気調整手段や液体調整手段の配設数や配設位置などは適宜設計することができる。また、例えば、空気量検知手段は、空気供給管に設けることもできるし、噴霧部付近などに設けることもできる。
【符号の説明】
【００５８】
１    液滴発生装置
２    噴霧部
３    液体供給手段
３１  液体供給管
４    空気供給手段
４１  空気供給管
５    空気調整手段
６    液体調整手段
７    制御手段
Ｈ    建物
【図１】
2017029918.tif 000003
【図２】
2017029918.tif 000004
【図３】
2017029918.tif 000005